(57)【要約】【課題】バーコードリーダーが検知識別するバーシンボル列部分に情報を書き加えられた事で、視覚により容易に理解、判読ができる目視可能なバーコードを提供する。【解決手段】目視可能なバーコードは、図ー２・４のバーコードリーダーにより検知される縦線部分バーシンボル配列内、図ー１の１に目視可能な情報、図ー１の２を書き加えられた事で３の帯状エリア内でのバーコードリーダー識別領域が確保される事によりバーコード形状規格を維持し配置される。【選択図】図１
2009238194.tif 000002
【特許請求の範囲】
【請求項１】
バーコードリーダーにより検知識別される帯エリア内を当該帯エリアの幅方向にそって通るように、当該帯エリアの長さ方向に配列された複数のバーシンボルを含むバーシンボル列の前記帯エリアの内側領域に目視可能な情報を書き加えられたことを特徴とする目視可能なバーコード。
【請求項２】
一次元バーコード内のバーシンボル列部分と交差する方向にバーコードリーダーでの読み取り可能な範囲で、文字・記号・数字・イラスト・色のうち少なくとも一つが書き加えられたことを特徴とする請求項１に記載の目視可能なバーコード。
【請求項３】
バーコードリーダーにより検知識別するバーシンボル部分内に情報を書き加えられた事を特徴する請求項１、２、に記載のバーコード。
【請求項４】
バーコード外形部分の規格形状を維持し、バーシンボル部分に情報を書き加えられたことを特徴とする請求項１、２、３に記載のバーコード。
【請求項５】
バーコードリーダーにより検知される帯エリア、バーシンボル列のスタートバーとストップバーを保持する事による重複読み込みを防止できることを特徴とする請求項１、２、３、４、に記載のバーコード。
【請求項６】
請求項１、２、３、４及び５のいずれか１項に記載の目視可能なバーコードが付された事を特徴とする製品。
【請求項７】
請求項１、２、３、４、及び５のいずれか１項に記載の目視可能なバーコードが付された事を特徴とするパッケージ。
【発明の詳細な説明】
【技術分野】
【０００１】本発明は一般に使用されている一次元バーコードをリーダーにより識別するバーシンボル縦線部分と交差する方向に文字・記号・数字・イラスト・色等の情報を書き加えられた目視可能なバーコードに関する。
【背景技術】
【０００２】従来の一次元バーコードは複数のバーシンボルとスペースとの組み合わせにより外形部分に数字やデザインを表すものと、バーシンボルの形状自体を変化させたものがある。例えば（特許文献１）記載のバーコードが知られている。このバーコードはリーダーより検知識別されるバーシンボルの形状を変化させ外形部分にデザインを用いたことにより製品パッケージ等のイメージアップを実現している。
【特許文献１】特許公開平２００６−１２７０２５号  公報
【発明の開示】
【発明が解決しようとする課題】
【０００３】以上に述べた従来の一次元バーコードはバーシンボルの外形部分に数字やデザインを記載したものが有るがバーコードの帯部分、バーシンボル列内部に情報を書き加えられた物がない。【０００４】そこで、本発明はバーコードリーダーの読み取りを重要視する為に占有するバーシンボル内部に理解、判読が可能な情報を書き加えられた、目視可能なバーコードを提供する事を目的とする。【０００５】さらに、本発明はバーコードの形状を維持し、バーシンボル部分内に情報を書き加えられたことを特徴とする、目視可能なバーコードを提供する。【０００６】上述のように形状を維持し、スタートバーとストップバーを保持する事によりバーコードリーダーによる重複読み込みを防止できる事を特徴とする、目視可能なバーコードを提供する。
【課題を解決するための手段】
【０００７】本発明はバーコードリーダーにより検知識別される、バーシンボル部分内に目視可能な情報を書き加えられた事で、視覚からの情報伝達が容易になり理解、判読ができることを特徴とする、目視可能なバーコードを提供する。【０００８】また、本発明は、バーコード外形部分の規格形状を維持し、バーシンボル配列内に情報を書き加えられた事を特徴とする、目視可能なバーコードを提供する。【０００９】さらに、本発明は抽象的なイメージデザインから、商標や製品名などを目視により理解、判読できる文字を書き加えられた事を特徴とする、目視可能なバーコードを提供する。
【発明の効果】
【００１０】本発明に係るバーコードによれば、目視により理解、判読が可能な文字情報が書き加えられた事で、より多くの情報を記載できる。例えば「広告・宣伝・価格・商標」等である。【００１１】上述の様に、例えば商品のイメージキャラクターなども記載する事で商品イメージも向上する。
【発明を実施するための最良の形態】
【００１２】以下、添付の図面を参照しながら、本発明に係る実施の形態について説明する。【００１３】図ー２、４のバーコードリーダーが識別する縦線部分、図ー１、１のバーシンボル内に図ー１の２部分に情報を書き加えられたことで、２上方向に３のリーダー識別領域を確保できバーシンボルの外形の規格形状を維持できる。【００１４】また、バーコードは通常波長６３０ナノメーターの赤色ダイオードレーザー光線により読み取られ、バーシンボルの黒い部分が赤色光を吸収し、バック部分の白いバーを反射する事により認識される、この特性を利用し図ー１・３の横方向の帯エリア内での認識は可能であり図ー１・３の縦幅の寸法は変更できる。【００１５】さらに、ＯＣＲ「光学的文字認識」のための字形は規格化されており２種類の寸法規格がある、ＯＣＲ−Ａは２の上方縦方向に、２．４ミリ以上、ＯＣＲ−Ｂは３．２０ミリ以上のスペース、図ー１・３の縦幅が有ればバーコードリーダーで認識が可能である。
【実施例】
【００１６】図ー１の１、バーシンボル内に目視可能な情報、図ー１の２を書き加えられる。【００１７】また、リーダーの識別領域、図ー１の３、帯エリアを確保する事でバーコードの外形を維持出来る事により規格形状で情報を記載する事が可能である。【００１８】前記に述べるように、規格形状で書き加えられた事により、スタートバー及びストップバーを維持出来る事で、バーコードリーダーによる識別の重複が防止できる。【００１９】さらに、バーコードリーダーによる識別領域は上部に限るものでなく識別、検知できる帯エリアがあれば下部でも可能である。【００２０】上述のようにバーコードリーダーによる識別領域は図ー１、２の上下部分に可能なのでスタートバーとストップバーがリーダーにより検知出来ることでリーダーによる識別の重複が防止できる。
【産業上の利用可能性】
【００２１】バーコードの外形部分、形状を維持する事で現在、市場で利用されている全ての一次元バーコードに利用できる目視可能なバーコード。【００２２】前記で述べた目視可能なバーコードの実施例、図−３である。
【図面の簡単な説明】
【００２３】
【図１】本発明の実施の形態に係る目視可能なバーコードの例を示した図である。
【図２】本発明の実施の一形態に係る目視可能なバーコードの構成を説明するための図である。
【図３】本発明の実施の形態に係る情報パターンを、製品に書き加えられた例を示した図である。
【符号の説明】
【００２４】１    バーシンボル
２    仮想情報パターン
３    帯状エリア
４    バーコードリーダー
５    検知識別部
６    実施例の製品パッケージ
【図１】
2009238194.tif 000003
【図２】
2009238194.tif 000004
【図３】
2009238194.tif 000005